【手続補正書】
【提出日】令和3年10月25日(2021.10.25)
【手続補正１】
【補正対象書類名】特許請求の範囲
【補正対象項目名】全文
【補正方法】変更
【補正の内容】
【特許請求の範囲】
【請求項１】
画素定義層と、
前記画素定義層によって離間された、隣接する第１サブ画素と第２サブ画素を含み、各サブ画素は機能層を有する、複数のサブ画素と、
前記画素定義層に設けられるバリア部材とを備える、発光素子。
【請求項２】
前記バリア部材は、第１部分及び第２部分を含み、前記第１部分の材料は、前記第１サブ画素の機能層の少なくとも一部の材料と同じであり、前記第２部分の材料は、前記第２サブ画素の機能層の少なくとも一部の材料と同じであり、ここで、前記第１部分と前記第２部分とは、前記画素定義層に重なる、請求項１に記載の発光素子。
【請求項３】
前記機能層は発光層を含む、請求項２に記載の発光素子。
【請求項４】
前記機能層は電子輸送層及び正孔輸送層をさらに含み、前記発光層は、前記電子輸送層と前記正孔輸送層との間に位置し、ここで、
前記第１部分と前記第２部分がいずれも前記電子輸送層と同じ材料の部分を含み、前記第１部分に含まれる前記電子輸送層と同じ材料の部分と、前記第２部分に含まれる前記電子輸送層と同じ材料の部分とが離間され、又は
前記第１部分と前記第２部分がいずれも前記正孔輸送層と同じ材料の部分を含み、前記第１部分に含まれる前記正孔輸送層と同じ材料の部分と、前記第２部分に含まれる前記正孔輸送層と同じ材料の部分とが離間される、請求項３に記載の発光素子。
【請求項５】
前記第１部分は、前記第１サブ画素の電子輸送層、正孔輸送層及び発光層の材料とそれぞれ同じ部分を含み、前記第２部分は、前記第２サブ画素の電子輸送層、正孔輸送層及び発光層の材料とそれぞれ同じ部分を含む、請求項４に記載の発光素子。
【請求項６】
前記バリア部材は絶縁層を含む、請求項１に記載の発光素子。
【請求項７】
前記バリア部材が前記画素定義層上に形成される勾配角θは、１°＜θ＜６０°の範囲である、請求項１〜６のいずれかに記載の発光素子。
【請求項８】
前記第１部分は、前記第１サブ画素の機能層が前記画素定義層の上に延びる部分であり、
前記第２部分は、前記第２サブ画素の機能層が前記画素定義層の上に延びる部分である、請求項２に記載の発光素子。
【請求項９】
前記第２部分が前記第１部分を覆い、
前記第１サブ画素は赤色サブ画素であり、前記第２サブ画素は緑色サブ画素又は青色サブ画素である；又は、前記第１サブ画素は緑色サブ画素であり、前記第２サブ画素は青色サブ画素である、請求項８に記載の発光素子。
【請求項１０】
前記複数のサブ画素のうち、前記青色サブ画素の機能層と前記青色サブ画素の機能層の延在部分の面積の和＞前記赤色サブ画素の機能層と前記赤色サブ画素の機能層の延在部分の面積の和＞前記緑色サブ画素の機能層と前記緑色サブ画素の機能層の延在部分の面積の和である、請求項９に記載の発光素子。
【請求項１１】
第１電極を有する複数の駆動トランジスタと、
前記複数の駆動トランジスタの一側に位置する基板と、
前記複数の駆動トランジスタの前記基板と反対側に位置し、各々が第２電極、第３電極及び機能層を含む複数の有機発光ダイオードであって、前記第２電極と前記第１電極とが電気的に接続され、前記機能層の少なくとも一部が前記第２電極と前記第３電極との間に位置し、前記複数の有機発光ダイオードは、少なくとも画素定義層によって離間された、隣接する第１有機発光ダイオードと第２有機発光ダイオードを含み、前記機能層は、少なくとも発光層を含み、前記発光層の前記複数の駆動トランジスタから離れた一面の面積は、前記第２電極の前記複数の駆動トランジスタから離れた一面の面積より大きい、複数の有機発光ダイオードと、
前記画素定義層の前記駆動トランジスタから離れた一側に位置し、前記基板における投影は前記第２電極の前記基板における投影と離間され、前記機能層と同じ材料の部分を含むバリア部材とを備える、発光素子。
【請求項１２】
前記第１電極はソースであり、
前記駆動トランジスタは、ゲート、ドレイン及び半導体層をさらに含み、
前記半導体層の前記基板における投影は、前記第２電極の前記基板における投影内に位置する、請求項１１に記載の発光素子。
【請求項１３】
前記機能層は、正孔輸送層及び電子輸送層をさらに含み、
前記正孔輸送層の前記複数の駆動トランジスタから離れた一面の面積は、前記第２電極の前記複数の駆動トランジスタから離れた一面の面積より大きく、前記電子輸送層の前記複数の駆動トランジスタから離れた一面の面積は、前記第２電極の前記複数の駆動トランジスタから離れた一面の面積より大きい、請求項１１に記載の発光素子。
【請求項１４】
前記バリア部材が前記画素定義層に形成される勾配角θは、１°＜θ＜６０°の範囲である、請求項１１に記載の発光素子。
【請求項１５】
前記バリア部材は、第１部分及び第２部分を含み、前記第１部分の材料は、前記第１有機発光ダイオードの機能層の少なくとも一部の材料と同じであり、前記第２部分の材料は、前記第２有機発光ダイオードの機能層の少なくとも一部の材料と同じであり、ここで、前記第１部分と前記第２部分とは、前記画素定義層上に重なる、請求項１１に記載の発光素子。
【請求項１６】
前記第１部分は、前記第１有機発光ダイオードの機能層が前記画素定義層の上に延びる部分であり、前記第２部分は、前記第２有機発光ダイオードの機能層が前記画素定義層の上に延びる部分である、請求項１５に記載の発光素子。
【請求項１７】
前記第２部分が前記第１部分を覆い、
前記第１有機発光ダイオードは赤色有機発光ダイオードであり、前記第２有機発光ダイオードは緑色有機発光ダイオード又は青色有機発光ダイオードである；又は、前記第１有機発光ダイオードは緑色有機発光ダイオードであり、前記第２有機発光ダイオードは青色有機発光ダイオードである、請求項１５に記載の発光素子。
【請求項１８】
請求項１〜１７のいずれかに記載の発光素子を備える、表示装置。
【請求項１９】
初期ベース構造に画素定義層を形成し、前記画素定義層に前記初期ベース構造を露出する複数の開口を形成するステップと、
前記複数の開口内に複数のサブ画素のための機能層を形成し、そして前記画素定義層上にバリア部材を形成するステップとを有する、発光素子の製造方法。
【請求項２０】
前記バリア部材の材料が前記複数のサブ画素の機能層の少なくとも一部の材料と同じであり、前記複数のサブ画素の機能層を形成する過程中に前記バリア部材が形成される、請求項１９に記載の発光素子の製造方法。
【手続補正２】
【補正対象書類名】明細書
【補正対象項目名】０００６
【補正方法】変更
【補正の内容】
【０００６】
本開示の実施例の一態様によれば、画素定義層と、前記画素定義層によって離間された、隣接する第１サブ画素及び第２サブ画素を含み、機能層をそれぞれ有する複数のサブ画素と、前記画素定義層に設けられるバリア部材とを備える発光素子を提供する。
【手続補正３】
【補正対象書類名】明細書
【補正対象項目名】０００９
【補正方法】変更
【補正の内容】
【０００９】
幾つかの実施例において、前記機能層は電子輸送層及び正孔輸送層をさらに含み、前記発光層は、前記電子輸送層と前記正孔輸送層との間に位置し；ここで、前記第１部分と前記第２部分がいずれも前記電子輸送層と同じ材料の部分を含み、前記第１部分に含まれる前記電子輸送層と同じ材料の部分と、前記第２部分に含まれる前記電子輸送層と同じ材料の部分とは離間され；又は、前記第１部分と前記第２部分がいずれも前記正孔輸送層と同じ材料の部分を含み、前記第１部分に含まれる前記正孔輸送層と同じ材料の部分と、前記第２部分に含まれる前記正孔輸送層と同じ材料の部分とは離間される。
【手続補正４】
【補正対象書類名】明細書
【補正対象項目名】００１４
【補正方法】変更
【補正の内容】
【００１４】
幾つかの実施例において、前記第２部分が前記第１部分を覆い、前記第１サブ画素は赤色サブ画素であり、前記第２サブ画素は緑色サブ画素又は青色サブ画素である；又は、前記第１サブ画素は緑色サブ画素であり、前記第２サブ画素は青色サブ画素である。
【手続補正５】
【補正対象書類名】明細書
【補正対象項目名】００１７
【補正方法】変更
【補正の内容】
【００１７】
本開示の実施例の他の一つの態様によれば、各々が第１電極を有する複数の駆動トランジスタと、前記複数の駆動トランジスタの一側に位置する基板と、前記複数の駆動トランジスタの前記基板と反対側に位置し、各々が第２電極、第３電極及び機能層を含む複数の有機発光ダイオードであって、前記第２電極と前記第１電極とが電気的に接続され、前記機能層の少なくとも一部が前記第２電極と第３電極との間に位置し、前記複数の有機発光ダイオードは、少なくとも画素定義層によって離間された、隣接する第１有機発光ダイオードと第２有機発光ダイオードを含み、前記機能層は、少なくとも発光層を含み、前記発光層の面積は前記第２電極の面積より大きい、複数の有機発光ダイオードと、前記画素定義層の前記複数の駆動トランジスタから離れた一側に位置し、前記基板における投影は前記第２電極の前記基板における投影と離間され、前記機能層と同じ材料の部分を含むバリア部材とを備える、発光素子を提供する。
【手続補正６】
【補正対象書類名】明細書
【補正対象項目名】００１９
【補正方法】変更
【補正の内容】
【００１９】
幾つかの実施例において、前記機能層は、正孔輸送層及び電子輸送層をさらに含み、前記正孔輸送層の前記複数の駆動トランジスタから離れた一面の面積は、前記第２電極の前記複数の駆動トランジスタから離れた一面の面積より大きく、前記電子輸送層の前記複数の駆動トランジスタから離れた一面の面積は、前記第２電極の前記複数の駆動トランジスタから離れた一面の面積より大きい。
【手続補正７】
【補正対象書類名】明細書
【補正対象項目名】００２３
【補正方法】変更
【補正の内容】
【００２３】
幾つかの実施例において、前記第２部分が前記第１部分を覆い、前記第１有機発光ダイオードは赤色有機発光ダイオードであり、前記第２有機発光ダイオードは緑色有機発光ダイオード又は青色有機発光ダイオードであり；又は、前記第１有機発光ダイオードは緑色有機発光ダイオードであり、前記第２有機発光ダイオードは青色有機発光ダイオードである。
【手続補正８】
【補正対象書類名】明細書
【補正対象項目名】００２７
【補正方法】変更
【補正の内容】
【００２７】
幾つかの実施例において、前記バリア部材の材料が前記複数のサブ画素の機能層の少なくとも一部の材料と同じであり、前記複数のサブ画素の機能層を形成する過程中に前記バリア部材が形成される。
【手続補正９】
【補正対象書類名】明細書
【補正対象項目名】００２８
【補正方法】削除
【補正の内容】